(57)【要約】  種々の通信システムは、改善されたシグナリングから利益が得られる。例えば、新規の無線通信システムは、送信タイミングの柔軟な指示から利益が得られる。方法は、第１パラメータ及び第２パラメータに基づいて送信タイミングをユーザ装置で決定することを含む。第１パラメータは、オフセットをスロットの数として指示する。第２パラメータは、オフセットを１つのスロット内の記号の数として指示する。又、前記方法は、送信タイミングを使用して、アップリンク送信を送信するか、又はダウンリンク送信を受信するかの少なくとも一方を行うことを含む。【選択図】図４
2020505827.tif 000002
【特許請求の範囲】
【請求項１】
第１パラメータ及び第２パラメータに基づき送信タイミングをユーザ装置で決定することを含み、第１パラメータは、オフセットをスロットの数として指示し、第２パラメータは、オフセットを１つのスロット内の記号の数として指示し、及び
送信タイミングを使用して、ユーザ装置からネットワークエンティティへアップリンク送信を送信するか、又はネットワークエンティティからのダウンリンク送信をユーザ装置で受信するかの少なくとも一方を行うことを含む、方法。
【請求項２】
少なくとも、送信の終了をスロットの数として指示する第３パラメータ、又は送信の終了を１つのスロット内の記号位置として指示する第４パラメータに基づいて、前記送信タイミングを決定することを更に含む、請求項１に記載の方法。
【請求項３】
前記第１パラメータ、第２パラメータ、第３パラメータ又は第４パラメータの少なくとも１つを前記ネットワークエンティティから受信することを更に含む、請求項１又は２に記載の方法。
【請求項４】
前記送信タイミングは、スケジューリングタイミングであるか、又は混成自動リピート要求確認フィードバックタイミングである、請求項１から３のいずれかに記載の方法。
【請求項５】
前記送信は、ミニスロット動作に関連している、請求項１から４のいずれかに記載の方法。
【請求項６】
前記アップリンク送信又はダウンリンク送信は、モビリティ基準記号、チャンネル状態情報基準記号、物理的アップリンク制御チャンネル送信、物理的アップリンク共有チャンネル送信、物理的ダウンリンク制御チャンネル送信、物理的ダウンリンク共有チャンネル送信、又はサウンド基準記号を含む、請求項１から５のいずれかに記載の方法。
【請求項７】
前記スロットは、ミニスロットであるか、又は前記スロットは、ミニスロットを含む、請求項１から５のいずれかに記載の方法。
【請求項８】
前記第１パラメータ、第２パラメータ、第３パラメータ、第４パラメータ又は付加的なパラメータの少なくとも１つは、前記第１パラメータ、第２パラメータ、第３パラメータ又は第４パラメータの少なくとも１つを使用して、半静的に構成されるか、ネットワークエンティティからユーザ装置で受信されるか、又は暗示的に導出されるかの少なくとも１つである、請求項１から７のいずれかに記載の方法。
【請求項９】
少なくとも単一の記号、スロット又はミニスロット内には多数のヌメロロジーが存在する、請求項１から８のいずれかに記載の方法。
【請求項１０】
少なくとも単一の記号、スロット又はミニスロット内に存在する多数のヌメロロジーの少なくとも１つを指示するのに付加的なパラメータが使用される、請求項１から９のいずれかに記載の方法。
【請求項１１】
第１パラメータが第２パラメータから導出されるか又は第２パラメータが第１パラメータから導出される、請求項１から１０のいずれかに記載の方法。
【請求項１２】
前記第２パラメータのオフセットは、前記スロット内の絶対記号インデックスを含む、請求項１から１１のいずれかに記載の方法。
【請求項１３】
前記第２パラメータにおける記号の数は、グラントに対する記号の数を含む、請求項１から１１のいずれかに記載の方法。
【請求項１４】
前記第１パラメータ、第２パラメータ、第３パラメータ又は第４パラメータの少なくとも２つを含む合成パラメータをユーザ装置で受信することを含む、請求項１から１３のいずれかに記載の方法。
【請求項１５】
第１パラメータ及び第２パラメータをネットワークエンティティで決定することを含み、第１パラメータは、オフセットをスロットの数として指示し、第２パラメータは、オフセットを１つのスロット内の記号の数として指示し、及び
第１パラメータ及び第２パラメータをネットワークエンティティからユーザ装置へ送信することを含む、方法。
【請求項１６】
送信の終了をスロットの数として指示する第３パラメータ又は送信の終了を１つのスロット内の記号位置として指示する第４パラメータをネットワークエンティティで決定することを更に含む、請求項１５に記載の方法。
【請求項１７】
前記第１パラメータ、第２パラメータ、第３パラメータ又は第４パラメータの少なくとも１つを使用して、ネットワークエンティティからユーザ装置へダウンリンク送信を送信するか、又はユーザ装置からのアップリンク送信をネットワークエンティティで受信するかの少なくとも一方を行うために送信タイミングを決定することを更に含む、請求項１５又は１６に記載の方法。
【請求項１８】
前記スロットは、ミニスロットであるか、又は前記スロットは、ミニスロットを含む、請求項１５から１７のいずれかに記載の方法。
【請求項１９】
前記スロットの数は、前記スロット内の絶対記号インデックスを含む、請求項１５から１８のいずれかに記載の方法。
【請求項２０】
前記第１パラメータ、第２パラメータ、第３パラメータ又は第４パラメータの少なくとも１つをネットワークエンティティにより送信することは、動的である、請求項１５から１９のいずれかに記載の方法。
【請求項２１】
少なくとも１つのプロセッサ、及び
コンピュータプログラムコードを含む少なくとも１つのメモリ、
を備えた装置において、少なくとも１つのメモリ及びコンピュータプログラムコードは、少なくとも１つのプロセッサとで、装置が、少なくとも、請求項１から２０のいずれかに記載の方法を含むプロセスを遂行するようにさせるよう構成された、装置。
【請求項２２】
ハードウェアで実行されたときに請求項１から２０のいずれかに記載の方法を含むプロセスを遂行するインストラクションをエンコードする非一時的コンピュータ読み取り可能な媒体。
【請求項２３】
請求項１から２０のいずれかに記載の方法を含むプロセスを遂行するための手段を備えた装置。
【請求項２４】
請求項１から２０のいずれかに記載の方法を含むプロセスを遂行するためのインストラクションをエンコードするコンピュータプログラム製品。
【請求項２５】
非一時的コンピュータ読み取り可能な媒体で実施され且つハードウェアで実行されたときに請求項１から２０のいずれかに記載の方法を含むプロセスを遂行するインストラクションをエンコードするコンピュータプログラム製品。
【発明の詳細な説明】
【技術分野】
【０００１】
関連出願の相互参照：本出願は、２０１７年１月９日に出願された米国プロビジュナル特許出願第６２／４４４，０８９号の優先権を主張するものである。該特許出願の全ての内容を参考としてここに援用する。
【０００２】
種々の通信システムは、改善されたシグナリングから利益が得られる。例えば、新規の無線通信システムは、送信タイミングの柔軟な指示から利益が得られる。
【背景技術】
【０００３】
第３世代パートナーシッププロジェクト（３ＧＰＰ）の新無線（ＮＲ）技術は、３ＧＰＰの第５世代（５Ｇ）無線アクセス技術（ＲＡＴ）の一部分である。３ＧＰＰにおけるＮＲ研究項目の１つの目的は、ＮＲシステムのためのコンポーネント及びフレームワークを識別し及び開発して、少なくとも１００ギガヘルツ（ＧＨｚ）までの範囲のスペクトル帯域を使用できるようにすることである。近年の開発は、あらゆる使用シナリオ、要求及び開発を単一の技術的フレームワーク内に統合することに向けられている。
【０００４】
ＮＲ物理的レイヤ設計は、スロット及びミニスロットの両方を有するＮＲフレーム構造をサポートする。スロットの期間は、ユーザヌメロロジー(numerology)のサブキャリア間隔に基づいて、７個又は１４個の記号であるが、ミニスロットの期間は、約１個又は２個の記号であるか、或いは１個からスロット長さ−１個までである。許されるミニスロット長さは、仕様及び／又は上位レイヤシグナリングによって定義され、そして無線リソース制御シグナリングのような上位レイヤシグナリングに従って変化する。ミニスロットの短い期間は、所与のスロットに多数のミニスロットを含ませるのを許し、そして異なるミニスロットに異なるユーザ装置（ＵＥ）送信が生じるのを許す。それ故、ミニスロットは、高い周波数で動作するとき及び高周波ビーム成形アーキテクチャーを使用するときには、異なるＵＥ間に時間マルチプレクスを与える。
【発明の概要】
【０００５】
ある実施形態による方法は、第１パラメータ及び第２パラメータに基づき送信タイミングをユーザ装置で決定することを含む。第１パラメータは、オフセットをスロットの数として指示する。第２パラメータは、オフセットを１つのスロット内の記号の数として指示する。又、前記方法は、送信タイミングを使用して、ユーザ装置からネットワークエンティティへアップリンク送信を送信するか、又はネットワークエンティティからのダウンリンク送信をユーザ装置で受信するかの少なくとも一方を行うことを含む。
【０００６】
変形例において、前記方法は、少なくとも、送信の終了をスロットの数として指示する第３パラメータ、又は送信の終了を１つのスロット内の記号位置として指示する第４パラメータに基づいて、送信タイミングを決定することを含む。
【０００７】
更に別の変形例において、前記方法は、第１パラメータ、第２パラメータ、第３パラメータ又は第４パラメータの少なくとも１つをネットワークエンティティから受信することも含む。
【０００８】
別の変形例において、送信タイミングは、スケジューリングタイミングであるか、又は混成自動リピート要求確認フィードバックタイミングである。
【０００９】
付加的な変形例において、送信は、ミニスロット動作に関連している。
【００１０】
更に別の変形例において、アップリンク送信又はダウンリンク送信は、モビリティ基準記号、チャンネル状態情報基準記号、物理的アップリンク制御チャンネル送信、物理的アップリンク共有チャンネル送信、物理的ダウンリンク制御チャンネル送信、物理的ダウンリンク共有チャンネル送信、又はサウンド基準記号を含む。
【００１１】
付加的な変形例において、スロットはミニスロットであるか又はミニスロットを含む。
【００１２】
更に別の変形例において、第１パラメータ、第２パラメータ、第３パラメータ、第４パラメータ又は付加的なパラメータの少なくとも１つは、第１パラメータ、第２パラメータ、第３パラメータ又は第４パラメータの少なくとも１つを使用して、半静的に構成されるか、ネットワークエンティティからユーザ装置で受信されるか、又は暗示的に導出されるかの少なくとも１つである。
【００１３】
変形例において、少なくとも単一の記号、スロット又はミニスロット内には多数のヌメロロジーが存在する。
【００１４】
別の変形例において、少なくとも単一の記号、スロット又はミニスロット内に存在する多数のヌメロロジーの少なくとも１つを指示するのに付加的なパラメータが使用される。
【００１５】
更に別の変形例において、第１パラメータが第２パラメータから導出されるか又は第２パラメータが第１パラメータから導出される。
【００１６】
更に別の変形例において、前記方法は、少なくとも、送信の終了をスロットの数として指示する第３パラメータ、又は送信の終了を１つのスロット内の記号位置として指示する第４パラメータに基づいて、送信タイミングの期間を決定することを含む。
【００１７】
別の変形例において、第２パラメータのオフセットは、スロット内の絶対記号インデックスを含む。
【００１８】
変形例において、第２パラメータにおける記号の数は、グラントに対する記号の数を含む。
【００１９】
変形例において、前記方法は、前記第１パラメータ、第２パラメータ、第３パラメータ又は第４パラメータの少なくとも２つを含む合成パラメータをユーザ装置で受信することを含む。
【００２０】
ある実施形態による装置は、コンピュータプログラムコードを含む少なくとも１つのメモリと、少なくとも１つのプロセッサとを備えている。少なくとも１つのメモリ及びコンピュータプログラムコードは、少なくとも１つのプロセッサとで、装置が、少なくとも、第１パラメータ及び第２パラメータに基づき送信タイミングを決定するようにさせるよう構成される。第１パラメータは、オフセットをスロットの数として指示する。第２パラメータは、オフセットを１つのスロット内の記号の数として指示する。少なくとも１つのメモリ及びコンピュータプログラムコードは、少なくとも１つのプロセッサとで、装置が、少なくとも、送信タイミングを使用して、ユーザ装置からネットワークエンティティへアップリンク送信を送信するか、又はネットワークエンティティからのダウンリンク送信をユーザ装置で受信するかの少なくとも一方を行うようにさせるよう構成される。
【００２１】
ある実施形態の装置は、第１パラメータ及び第２パラメータに基づき送信タイミングをユーザ装置で決定するための手段を備えている。第１パラメータは、オフセットをスロットの数として指示する。第２パラメータは、オフセットを１つのスロット内の記号の数として指示する。又、この装置は、送信タイミングを使用して、ユーザ装置からネットワークエンティティへアップリンク送信を送信するか、又はネットワークエンティティからのダウンリンク送信をユーザ装置で受信するかの少なくとも一方を行う手段も備えている。
【００２２】
ある実施形態によれば、ハードウェアで実行されたときにプロセスを遂行するインストラクションをエンコードする非一時的コンピュータ読み取り可能な媒体が提供される。前記プロセスは、第１パラメータ及び第２パラメータに基づき送信タイミングをユーザ装置で決定することを含む。第１パラメータは、オフセットをスロットの数として指示する。第２パラメータは、オフセットを１つのスロット内の記号の数として指示する。又、このプロセスは、送信タイミングを使用して、ユーザ装置からネットワークエンティティへアップリンク送信を送信するか、又はネットワークエンティティからのダウンリンク送信をユーザ装置で受信するかの少なくとも一方を行うことも含む。
【００２３】
他の実施形態によれば、コンピュータプログラム製品は、プロセスを遂行するためのインストラクションをエンコードする。このプロセスは、第１パラメータ及び第２パラメータに基づき送信タイミングをユーザ装置で決定することを含む。第１パラメータは、オフセットをスロットの数として指示する。第２パラメータは、オフセットを１つのスロット内の記号の数として指示する。又、このプロセスは、送信タイミングを使用して、ユーザ装置からネットワークエンティティへアップリンク送信を送信するか、又はネットワークエンティティからのダウンリンク送信をユーザ装置で受信するかの少なくとも一方を行うことも含む。
【００２４】
ある実施形態による方法は、第１パラメータ及び第２パラメータをネットワークエンティティで決定することを含む。第１パラメータは、オフセットをスロットの数として指示する。第２パラメータは、オフセットを１つのスロット内の記号の数として指示する。又、この方法は、第１パラメータ及び第２パラメータをネットワークエンティティからユーザ装置へ送信することも含む。
【００２５】
ある変形例において、前記方法は、送信の終了をスロットの数として指示する第３パラメータ、又は送信の終了を１つのスロット内の記号位置として指示する第４パラメータをネットワークエンティティで決定することを含む。
【００２６】
更に別の変形例において、前記方法は、前記第１パラメータ、第２パラメータ、第３パラメータ又は第４パラメータの少なくとも１つを使用して、ネットワークエンティティからユーザ装置へダウンリンク送信を送信するか、又はユーザ装置からのアップリンク送信をネットワークエンティティで受信するかの少なくとも一方を行うために送信タイミングを決定することも含む。
【００２７】
付加的な変形例において、スロットは、ミニスロットであるか、又はミニスロットを含む。
【００２８】
更に別の変形例において、第１パラメータが第２パラメータから導出されるか又は第２パラメータが第１パラメータから導出される。
【００２９】
別の変形例において、第２パラメータにおける記号の数のオフセットは、スロット内の絶対記号インデックスを含む。
【００３０】
ある変形例において、第１パラメータ、第２パラメータ、第３パラメータ及び／又は第４パラメータをネットワークエンティティにより送信することは、動的である。
【００３１】
ある実施形態による装置は、コンピュータプログラムコードを含む少なくとも１つのメモリと、少なくとも１つのプロセッサとを備えている。少なくとも１つのメモリ及びコンピュータプログラムコードは、少なくとも１つのプロセッサとで、装置が、少なくとも、第１パラメータ及び第２パラメータを決定するようにさせるよう構成される。第１パラメータは、オフセットをスロットの数として指示する。第２パラメータは、オフセットを１つのスロット内の記号の数として指示する。少なくとも１つのメモリ及びコンピュータプログラムコードは、少なくとも１つのプロセッサとで、装置が、少なくとも、第１パラメータ及び第２パラメータをネットワークエンティティからユーザ装置へ送信するようにさせるよう構成される。
【００３２】
ある実施形態の装置は、第１パラメータ及び第２パラメータをネットワークエンティティで決定するための手段を備えている。第１パラメータは、オフセットをスロットの数として指示する。第２パラメータは、オフセットを１つのスロット内の記号の数として指示する。又、この装置は、第１パラメータ及び第２パラメータをネットワークエンティティからユーザ装置へ送信するための手段も備えている。
【００３３】
ある実施形態によれば、ハードウェアで実行されたときにプロセスを遂行するインストラクションをエンコードする非一時的コンピュータ読み取り可能な媒体が提供される。前記プロセスは、第１パラメータ及び第２パラメータをネットワークエンティティで決定することを含む。第１パラメータは、オフセットをスロットの数として指示する。第２パラメータは、オフセットを１つのスロット内の記号の数として指示する。又、このプロセスは、第１パラメータ及び第２パラメータをネットワークエンティティからユーザ装置へ送信することも含む。
【００３４】
他の実施形態によれば、コンピュータプログラム製品は、プロセスを遂行するためのインストラクションをエンコードする。このプロセスは、第１パラメータ及び第２パラメータをネットワークエンティティで決定することを含む。第１パラメータは、オフセットをスロットの数として指示する。第２パラメータは、オフセットを１つのスロット内の記号の数として指示する。又、このプロセスは、第１パラメータ及び第２パラメータをネットワークエンティティからユーザ装置へ送信することも含む。
【００３５】
本発明を適切に理解するため、添付図面を参照する。
【図面の簡単な説明】
【００３６】
【図１】ある実施形態による図である。
【図２】ある実施形態によるフローチャートである。
【図３】ある実施形態による図である。
【図４】ある実施形態による図である。
【図５】ある実施形態による図である。
【図６】ある実施形態による図である。
【図７】ある実施形態による図である。
【図８】ある実施形態によるフローチャートである。
【図９】ある実施形態によるシステムの図である。
【発明を実施するための形態】
【００３７】
ある実施形態は、ＮＲ技術においてスケジューリングタイミング及び／又は混成自動リピート要求（ＨＡＲＱ）確認タイミングのような送信タイミングの柔軟な指示を許す。スケジューリングタイミングとは、ネットワークへの及びネットワークからのデータ及び／又は制御情報の送信のタイミングである。ＨＡＲＱタイミングは、あるリンク方向におけるデータ受信又は送信と、別のリンク方向におけるＨＡＲＱ確認（ＨＡＲＱ−ＡＣＫ）の対応する送信又は受信との間のタイミングに関連している。柔軟な指示は、スロットベース又はミニスロットベースのスケジューリングを含む。送信タイミングは、例えば、ＵＥがダウンリンク及び／又はアップリンクグラントを受信した後に物理的ダウンリンク共有チャンネル（ＰＤＳＣＨ）又は物理的アップリンク制御チャンネル（ＰＵＣＣＨ）に送信が生じるときにそれをＵＥに指示する。他の実施形態では、送信タイミングは、例えば、物理的ダウンリンク制御チャンネル（ＰＤＣＣＨ）又は物理的アップリンク制御チャンネル（ＰＵＣＣＨ）に送信が生じるときにそれをＵＥに指示する。又、送信タイミングは、ＨＡＲＱ−ＡＣＫ、パイロット記号、又はサウンド基準記号のような他の形態の送信に対して送信が発生し又はトリガーされるときにそれを指図する。
【００３８】
ＤＬに対するＨＡＲＱ−ＡＣＫタイミングは、ＰＤＳＣＨ情報を受け取った後にＨＡＲＱ−ＡＣＫフィードバックを送信すべきときにＵＥにそれを通知する。非同期ＨＡＲＱを伴うある実施形態では明確なＨＡＲＱ−ＡＣＫタイミングが必要でなくても、ＮＲにおいてＵＬに対するＨＡＲＱ−ＡＣＫタイミングも定義される。
【００３９】
柔軟な送信タイミングを達成するために、ある実施形態では、少なくとも２つの異なるパラメータが使用される。第１パラメータは、オフセットをスロットの数として指示し、一方、第２パラメータは、オフセットを１つのスロット内の記号の数として指示する。換言すれば、第２パラメータは、スロット内の記号の位置を指示する。ＵＥは、２つのパラメータを使用して、アップリンク送信を送信するか又はダウンリンク送信を受信する。パラメータは、ある実施形態では、ネットワークエンティティからＵＥにより受信され、ネットワークにより半静的に構成され、及び／又は暗示的に導出される。例えば、送信タイミングは、スケジューリングタイミング又はＨＡＲＱ−ＡＣＫタイミングである。
【００４０】
上述したように、ＮＲは、スロット及びミニスロットの両方を許す。スロットの期間は、使用するサブキャリア間隔に基づいて７個又は１４個の記号であるか、或いは７個の記号の倍数又は１４個の記号の倍数であるが、ミニスロットの期間は、ほぼ約１個又は２個の記号である。スロット及び／又はミニスロットの長さは、最小のスケジューリング時間単位に対応する。スロットベースのスケジューリングは、セルの基線として使用される。ミニスロットベースのスケジューリングは、セル内の１つ以上のＵＥに対する上位レイヤシグナリングを経て構成される。サブキャリア間隔は、例えば、ヌメロロジーの一形式である。記号は、ある実施形態では、直交周波数分割マルチプレクシング（ＯＦＤＭ）記号、直交周波数分割マルチプルアクセス（ＯＦＤＭＡ）記号、単一キャリア周波数分割マルチプルアクセス（ＳＣ−ＦＤＭＡ）記号、又は単一キャリアゼロテール記号（ＳＣ−ＺＴ）である。他の実施形態では、他の形式の記号が使用されてもよい。
【００４１】
ある実施形態において、ＮＲフレームワークは、サブフレーム当たり１４個の記号という基準ヌメロロジー値をもつサブフレームを含む。そのような実施形態は、１５キロヘルツ（ｋＨｚ）のサブキャリア間隔及び通常のサイクリック・プレフィックス長さを含む。サブフレームは、選択されたヌメロロジーとは独立した１ミリ秒（ｍｓ）の時間基準を与える。スロットは、ある実施形態では、７個又は１４個のＯＦＤＭ記号という期間を有し、そしてサブキャリア間隔が基準ヌメロロジー値以上であるときには１つのサブフレーム内に整数個のスロットが適合する。例えば、６０ｋＨｚまでのサブキャリア間隔（ＳＣＳ）では、スロットの期間が７個又は１４個の記号である。ＳＣＳが６０ｋＨｚより高いときには、スロットの期間が１４個の記号である。スロットの構造は、スロットの終了及び／又は開始に制御情報を受信するのを許す。スロットの時間的長さは、伸縮可能でもよいし、又は選択されたヌメロロジーに依存してもよい。
【００４２】
ミニスロットは、上述したように、使用する記号の数に関してスロットより短い。ミニスロットは、ミニスロットの開始及び／又は終了に制御情報を含む。最小のミニスロットは、ある実施形態では、考えられる最小のスケジューリングユニットである。ミニスロットは、例えば、記号１個分の期間を有する。ミニスロットは、ミニスロットの開始に関する位置に復調基準信号（ＤＭＲＳ）を含む。
【００４３】
図１は、ある実施形態による図である。特に、図１は、４つの異なるスロット形式を示し、各スロット形式は、７個のＯＦＤＭ記号を含む。図１に見られるように、４つの異なる形式の記号は、時分割デュープレックス（ＴＤＤ）及び周波数分割デュープレックス（ＦＤＤ）の両方に対して基本的サポートを与えるように使用される。両方向性スロット１１０及び１２０では、各スロットは、ダウンリンクデータ（Ｄｄ）送信又はアップリンクデータ（Ｕｄ）送信のいずれか専用である。更に、各両方向性スロット１１０、１２０は、ダウンリンク制御（Ｄｃ）情報及び／又はアップリンク制御（Ｕｃ）情報を含む。ある実施形態では、両方向性スロット１１０、１２０は、図１に示すように、ガード周期（ＧＰ）を含む。両方向性スロットは、ＮＲフレーム構造においてＴＤＤ機能を容易にする上で役立つ。例えば、ダウンリンク（ＤＬ）とアップリンク（ＵＬ）との間のリンク方向の切り換え、ＤＬとＵＬとの間の充分に柔軟性のあるトラフィック適応、及び／又は短いスロット長さが選択されたときの低レイテンシー通信のための機会、である。
【００４４】
他方、図１のスロット１３０及び１４０は、ＤＬのみ又はＵＬのみの一方向性スロットである。スロット１３０及び１４０にはガード周期が与えられず、ＤＬ制御及びＵＬ制御情報は、各々、スロットの最初又は最後の記号に、或いはスロット内の他の位置に含まれる。スロット１３０及び１４０は、少なくともＦＤＤモードで使用されるが、あるＴＤＤシナリオでは、ダウンリンク又はアップリンク方向に長い送信周期を許すためにスロットが使用されてもよい。
【００４５】
ある実施形態では、ＤＬ制御、ＤＬデータ、ＵＬデータ、ＧＰ、及び／又はＵＬ制御の間のマルチプレクシングは、少なくとも、時分割マルチプレクシング（ＴＤＭ）に一部分基づく。ＴＤＭの使用は、受信器において制御情報及びデータの高速でエネルギー効率の良いパイプライン処理を許す。物理的ダウンリンク制御チャンネル（ＰＤＣＣＨ）情報又は送信は、スロット又はミニスロットの開始に位置するＤＬ制御記号に含まれ、一方、ＰＵＣＣＨ情報又は送信は、スロット又はミニスロットの終了に位置するＵＬ制御記号に含まれる。しかしながら、他の実施形態では、周波数分割マルチプレクシングが使用され、ここでは、ＰＤＣＣＨ及び／又はＰＤＳＣＨを通して運ばれる情報が、時間ドメインではなく、周波数ドメインにおいてマルチプレクスされる。
【００４６】
ある実施形態では、レイテンシーの減少及び免許不要帯域の動作のためにミニスロットが使用される。例えば、１５ｋＨｚのＳＣＳを使用する実施形態では、スロットベースの送信ではなく、ミニスロットベースの送信を使用するのが好都合である。又、ミニスロットのレイテンシー減少特性は、ミニスロットを使用して、超信頼性・低レイテンシー通信（ＵＲＬＬＣ）及び改善型移動ブロードバンド（ｅＭＢＢ）におけるエアインターフェイスレイテンシーを減少することも許す。ｅＭＢＢでは、ミニスロットを使用して、スロースタート送信制御プロトコル（ＴＣＰ）手順を克服してもよい。
【００４７】
５Ｇ  ＮｏｄｅＢ（ｇＮＢ）に使用されるビーム成形アーキテクチャーは、少なくともミニスロットの設計の一部分に考慮される。限定数の高周波（ＲＦ）ビームと並列に動作する混成ビーム成形では、ビームが一度にセルカバレージの一部分だけをカバーすることが困難である。ビームが細いほど、同じビームを共有するＵＥが少なくなる。利用可能な高精度・広帯域巾トランシーバーユニット（ＴＸＲＵ）の数が少ないと、ｇＮＢのマルチプレクシング容量は、ＴＸＲＵの数により制限される。物理的レイヤの設計を考慮しそしてハードウェアの制限を考慮すると、スロット内での効率的なＴＤＭを容易にして、ＤＬ及び／又はＵＬ共有チャンネルのための合理的なペイロードサイズを得ることができる。ミニスロットを使用して、効率的にスロット内のＴＤＭを容易にすることができる。ある実施形態では、図２に示す送信は、ミニスロットの動作に関連している。ミニスロットの設計の更なる説明については、３ＧＰＰ  ＴＳＧ−ＲＡＮ  ＷＧ１＃ＮＲ、Ｒ１−１７０１０５１を参照されたい。３ＧＰＰ  ＴＳＧ−ＲＡＮ  ＷＧ１＃ＮＲ、Ｒ１−１７０１０５１は、参考として、ここにそのまま援用される。
【００４８】
ある実施形態は、ＮＲ技術のスケジューリングタイミング及びＨＡＲＱタイミングの両方において高レベルの柔軟性を含む。この柔軟性は、記号レベルで生成され、そしてネットワークとの最適な送信タイミングを与えるために動的な調整を与える。ある長期進化（ＬＴＥ）技術では、送信タイミングは、単にサブフレームの基本的時間単位又は送信時間インターバル（ＴＴＩ）を使用して半静的に定義される。しかしながら、ＮＲ技術は、スケジューリングタイミング及びＨＡＲＱタイミングの両方に対し記号レベルで高い柔軟性レベルを使用する。
【００４９】
柔軟で且つ動的なスケジュールタイミングは、ＮＲ技術における動的ＴＤＤの一部分として使用される。柔軟なスケジュールタイミングは、ベースステーションのようなネットワークエンティティが、ＰＵＳＣＨの一部分として、どのスロット又はミニスロットをＤＬ又はＵＬに指定すべきかを動的に決定するのを許す。ＰＤＳＣＨでは、ＰＤＳＣＨとＰＤＣＣＨとの間のオフセットがＯＦＤＭ記号に関して指示される。オフセットの指示は、ＰＤＳＣＨの開始記号がＤＬ制御領域における変化のために変化する実施形態及び／又はスケジュールされるミニスロットの開始位置が変化する実施形態において役立つ。ある実施形態では、ＰＵＳＣＨの開始記号も変化する。ＰＵＳＣＨの開始記号のバリアンスは、スロットにおけるＤＬ制御領域の期間、又はスケジュールされるミニスロットの変化する開始位置に基づいて変化する。ミニスロットの設計の更なる説明については、３ＧＰＰ  ＴＳＧ−ＲＡＮ  ＷＧ１＃ＮＲ、Ｒ１−１７０１０５２を参照されたい。３ＧＰＰ  ＴＳＧ−ＲＡＮ  ＷＧ１＃ＮＲ、Ｒ１−１７０１０５２は、参考として、ここにそのまま援用される。
【００５０】
ある実施形態において、ＮＲは、媒体アクセス制御（ＭＡＣ）レイヤ又は物理的（ＰＨＹ）レイヤが分散的に実施され、それらレイヤがフロントホール又は進歩型バックホール接続で分離されるような異なるネットワーク具現化をサポートする。例えば、ＭＡＣをホストする集中ユニット、及び少なくとも１つのリモート無線ヘッド（ＲＲＨ）は、１つ以上のフロントホールリンクを経て相互接続される。通常の公衆無線インターフェイス（ＣＰＲＩ）又はオープンベースステーションアーキテクチャーイニシアティブ（ＯＢＳＡＩ）のラウンドトリップ時間（ＲＴＴ）レイテンシーは、０．３ｍｓないし０．５ｍｓである。他方、イーサネット（登録商標）フロントホール具現化は、ＲＴＴレイテンシーが２ｍｓないし５ｍｓである。前記ＲＴＴ測定は、ＲＲＨと集中ユニットとの間に、例えば、数キロメータの距離がある実施形態に関連している。フロントホールレイテンシーは、ＮＲスケジューリングタイミング及び／又はＨＡＲＱタイミングを決定するときに考慮されて、上述した様々な具現化の少なくとも幾つかを許す柔軟性が存在することを保証する。
【００５１】
ＰＤＳＣＨにおけるＨＡＲＱ−ＡＣＫタイミングについては、例えば、動的なＴＤＤフレーム構造をサポートするために柔軟で且つ動的な送信タイミング指示が使用される。ＰＵＣＣＨは、スロット内の異なる記号でスタートするので、所与のスロットにおけるＰＵＣＣＨの開始記号を指示するのが有用である。ある実施形態は、同じスロット内の異なるＵＥからの短いＰＵＣＣＨのＴＤＭをサポートする。
【００５２】
又、ある実施形態は、制御情報及び／又はデータを送信するために同じ又は異なるヌメロロジーを使用してもよい。スケジューリングタイミング及び／又はＨＡＲＱタイミングのための粒度は、異なるヌメロロジー間の小さな記号期間である。異なるヌメロロジーは、時間ドメイン及び／又は周波数ドメインのいずれかにおいてマルチプレクスされてもよい。
【００５３】
図２は、ある実施形態によるフローチャートである。特に、図２は、ユーザ装置を示す。ステップ２１０において、ユーザ装置は、第１パラメータ又は第２パラメータの少なくとも１つをネットワークエンティティから受信する。以下に述べるように、他の実施形態では、ユーザ装置において、第１パラメータ又は第２パラメータの少なくとも１つが暗示的に導出され及び／又は半静的に構成される。ユーザ装置は、ステップ２２０において、ネットワークエンティティから受信した第１パラメータ及び第２パラメータに基づいて送信タイミングを決定する。送信タイミングは、スケジューリングタイミング又はＨＡＲＱ−ＡＣＫタイミングである。第１パラメータ（Ｍ）は、オフセットをスロット又はミニスロットの数として指示する。第２パラメータ（Ｎ）は、オフセットを１つのスロット又はミニスロット内の記号の数として指示する。ある実施形態では、記号の数は、記号の単位であると言われ、一方、スロットの数は、スロットの単位であると言われる。記号は、ある実施形態では、ＯＦＤＭ記号である。第２パラメータにより指示される記号位置は、スロット又はミニスロット内の記号のオフセットであるか、或いはスロットの第１記号から又は他の予め定義された記号番号からカウントされたスロット内の絶対記号インデックスである。換言すれば、第２パラメータの記号の数のオフセットは、グラント又は絶対記号インデックスに対する記号の数を含む。第１及び第２のパラメータ、並びに絶対記号インデックスの例が図３に示されている。
【００５４】
ある実施形態では、パラメータがＵＥへ動的にシグナリングされ、半静的に構成され、及び／又はＵＥにより暗示的に決定される。ステップ２３０に示すように、ＵＥは、少なくとも、送信の終了をスロットの数として指示する第３パラメータ（Ｍ２）、又は送信の終了を１つのスロット内の記号位置として指示する第４パラメータ（Ｎ２）に基づいて、送信タイミングを決定する。第１及び第２パラメータと同様に、第３及び第４パラメータは、ＵＥへ動的にシグナリングされ、半静的に構成され、及び／又はＵＥにより暗示的に決定される。ステップ２４０において、ＵＥは、送信タイミングを使用して、アップリンク送信を送信し、及び／又はダウンリンク送信を受信する。
【００５５】
第３パラメータＭ２及び／又は第４パラメータＮ２を指示するのとは別に、送信の期間を、例えばスロット又はＯＦＤＭ記号の数に関して決定する。そのような実施形態では、各制御送信及び／又はデータ送信の送信期間が、上位レイヤシグナリングを経て予め定義され又は予め構成されるか、或いは物理的レイヤ又は第１レイヤ（Ｌ１）ＤＬシグナリング、例えば、ＤＬ制御情報（ＤＣＩ）を経て動的に指示される。又、ある実施形態では、上位レイヤシグナリング及びＬ１  ＤＬシグナリングの組み合せを使用して、送信の期間を指示する情報をｇＮＢからＵＥへ搬送することもできる。
【００５６】
以上の実施形態は、例えば、ＯＦＤＭ記号の粒度を有する送信タイミングのための完全な柔軟性を与える。送信タイミングは、ＵＬデータ又はＤＬデータのスケジューリングタイミングである。他の実施形態では、送信タイミングは、ＤＬ又はＵＬデータ送信のためのＨＡＲＱ−ＡＣＫフィードバックタイミングである。更に別の実施形態では、送信タイミングは、モビリティ基準記号（ＭＲＳ）、チャンネル状態情報基準記号（ＣＳＩ−ＲＳＩ）、アップリンク制御チャンネル（ＰＵＣＣＨ）、及び／又はサウンド基準記号（ＳＲＳ）のためのスケジューリングタイミングを含む。ＭＲＳは、移動通信ネットワークに使用される基準記号である。
【００５７】
例えば、ＯＦＤＭ記号に関する全スケジューリング遅延は、次の式、即ちＭ＊ｙ＋Ｎを使用して決定され、ここで、Ｎは、グラントに対するスロット内のＯＦＤＭ記号のオフセットを表わし、Ｍは、スロットの数に関してオフセットを表わし、そしてｙは、スロットベーススケジューリングのスケジューリング周期を決定するスロット長さを表わす。例えば、ＮＲ環境において典型的なサイクリック・プレフィックス長さで動作するときに、ｙは、７個のＯＦＤＭ記号の倍数であるか、或いは拡張サイクリック・プレフィックス長さで動作するときに、ｙは、６個のＯＦＤＭ記号の倍数であるか又は１３個のＯＦＤＭ記号を含む。他の実施形態では、ｙは、他の整数である。他方、Ｎがスロット内の絶対的ＯＦＤＭ記号インデックスを表わす場合には、全スケジューリング遅延は、次の式、即ちＭ＊ｙ＋Ｎ−ｋを使用して決定され、ここで、ｋは、ＤＬ及び／又はＵＬグラントの開始記号のＯＦＤＭ記号インデックスを表わす。
【００５８】
スケジュールされるアップリンクグラント又はダウンリンク割り当ての終了は、ＯＦＤＭ記号に関して、第１、第２、第３及び第４パラメータを使用して決定される。換言すれば、第１及び第２パラメータは、送信タイミングを決定するために、又は送信が生じるときに、使用され、一方、第３及び第４パラメータは、送信の期間を決定するために、又は送信がどれほど長く実行されるかについて、使用される。Ｎがグラントに対するスロット内のＯＦＤＭ記号のオフセットを指示する１つの実施形態では、スケジュールされるアップリンクグラント又はダウンリンク割り当ての終了は、次の式、即ち（Ｍ２＋Ｍ）＊ｙ＋Ｎ２＋Ｎを使用して決定される。他方、Ｎがスロット内の絶対的ＯＦＤＭ記号インデックスを表わすときには、スケジュールされるアップリンクグラント又はダウンリンク割り当ての終了は、次の式、即ち（Ｍ２−Ｍ）＊ｙ＋Ｎ２＋Ｎ−ｋを使用して決定される。
【００５９】
ＨＡＲＱタイミングが決定される実施形態では、スロット内の記号位置のオフセット又は遅延を意味する、１つのスロット内の記号の数としてのオフセットは、ＤＬ又はＵＬグラント及び／又はＤＬ又はＵＬデータ送信に対するものである。又、ＨＡＲＱタイミングは、それに対応するＤＬ又はＵＬグラント及び／又はＤＬ又はＵＬデータ送信の開始又は終了位置のいずれから決定されてもよい。
【００６０】
他の実施形態では、ＵＥは、ステップ２１０に示すように、少なくとも１つのパラメータを受信する。例えば、第１パラメータＭ及び／又は第２パラメータＮは、ＤＬ又はＵＬグラントにおいてＵＥにより動的に受信される。他の実施形態では、第３パラメータＭ２及び／又は第４パラメータＮ２も、ＵＥにより動的に受信される。これらのパラメータをＵＥへ動的に与えることは、ネットワークエンティティのスケジューリングの柔軟性を許す。ネットワークエンティティは、ネットワークがミニスロット、スロット、及び／又はミニスロットスケジューリングの利点を取り入れたいときには動的なシグナリングを使用してＵＥに通知する。
【００６１】
ある実施形態では、第１パラメータＭがＵＥへ動的に送信され、一方、第２パラメータＮは、半静的に構成される。これらのパラメータは、ユーザ装置、ネットワークエンティティ、又はネットワーク内の他のエンティティにより半静的に構成される。更に、ある実施形態では、第３パラメータＭ２及び第４パラメータＮ２も、半静的に構成される。半静的な構成は、例えば、ＤＬ制御領域が固定され且つＰＵＣＣＨ位置がスロット内で固定された固定構造体をネットワークエンティティが使用することを選択したときに、使用される。そのような実施形態では、ネットワークエンティティは、記号オフセットを含むパラメータをＵＥへ動的に指示せず送信もしない。
【００６２】
しかしながら、他の実施形態では、第１パラメータＭがＵＥに対して半静的に構成され、一方、第２パラメータＮは、ＵＥへ動的に指示され又は送信される。更に別の実施形態では、第１パラメータＭ及び第２パラメータＮの両方が半静的に構成される。第１パラメータＭ及び第２パラメータＮの両方を半静的に構成することは、ＴＤＤが半静的に構成されたフレーム構造を有する実施形態、及び／又はＦＤＤを伴う実施形態に使用される。
【００６３】
又、第１パラメータＭ及び第２パラメータＮは、暗示的に導出される。ＵＲＬＬＣでは、第２パラメータＮは、ＵＥへ動的に指示され、そして第１パラメータＭは、第２パラメータＮから導出される。他の実施形態では、第２パラメータＮは、第１パラメータＭから導出される。ある実施形態では、第１パラメータＭの値は、ＵＬ及び／又はＤＬグラント又はＵＬ及び／又はＤＬデータ送信がスロット内の最初のｋ個の記号内でスタートするときにはゼロに等しくなる。ｋは、例えば、３個の記号である。しかしながら、送信は同じスロット内で生じるので、第１パラメータＭの値は、ゼロである。
【００６４】
他の実施形態では、第１パラメータＭは、ＵＬ及び／又はＤＬグラント又はＵＬ及び／又はＤＬデータ送信がスロット内の最初のｋ個の記号以外でスタートするときには１に等しくなる。ＵＬ及び／又はＤＬグラント又はＵＬ及び／又はＤＬデータ送信がスロット内の最初のｋ個の記号以外でスタートするときには、次の記号は、現在の使用ケースをサポートしないと言える。換言すれば、現在の使用ケースが無効のリンク方向を表わす場合には、第１パラメータＭの値がゼロに等しい現在スロットに代って、次の有効なスロットが考慮される。例えば、次の記号がガード周期である場合には、その記号において送信が生じることはなく、送信は、次のスロットへプッシュされる。そのような実施形態では、Ｍの値が１となる。
【００６５】
ある実施形態では、少なくとも１つのパラメータをどのようにして暗示的に導出するかを導くルールが、ネットワーク内に配置されたエンティティによりセットされる。このルールは、上位レイヤシグナリングにより、例えば、パラメータｋの値を決定しそして第１パラメータＭの考えられる値を決定することにより、半静的に構成される。前記例では、Ｍは、ゼロ又は１の値を有したが、他の実施形態では、Ｍの値は、１又は２のような離散的数字のセットである。
【００６６】
更に別の実施形態では、第１パラメータＭ及び第２パラメータＮは、単一のパラメータを使用して動的にシグナリングされる。単一のパラメータは、上位レイヤシグナリングによって構成された第１パラメータＭ及び第２パラメータＮの組み合わせを含む。例えば、上位レイヤシグナリングにより構成される４つ又は８つの異なる組み合せが考えられる。この考えられる異なる組み合せの数は、どれほどのシグナリングビットがシグナリングに利用できるかに依存する。２ビットのケースでは、４つのシグナリング状態が利用でき、一方、３ビットでは、８つのシグナリング状態が利用できる。各組み合せは、少なくとも１つの予め定義された相対的な開始位置及び／又は絶対的な開始位置を指示する。両方の位置は、ＤＬ又はＵＬグラント及び／又はＤＬ又はＵＬデータ送信に関して定義される。前記実施形態は、第１パラメータＭ及び第２パラメータＮを参照しているが、第３パラメータＭ２、第４パラメータＮ２、又は使用できる他のパラメータにも適用可能である。
【００６７】
前記実施形態は、他の構成情報と組み合わされてもよい。これは、複写又は同様の情報がシグナリングされるのをネットワークが回避できるようにする。例えば、データ送信のためのミニスロットの開始位置が上位レイヤシグナリングにより半静的に構成される情報は、ＵＥへ動的にシグナリングされる必要はない。前記４つのパラメータ及び他の構成情報のいずれかを含む合成パラメータは、考えられる記号位置の１つを指す単一の合成パラメータを生成する。ある実施形態では、ＵＥは、第１パラメータ及び第２パラメータを含む合成パラメータを受信する。例えば、単一のパラメータは、ゼロが記号位置を表わしそして１が次の記号位置を表す数字でよい。
【００６８】
ミニスロット開始位置は、制御シグナリングを搬送するための位置からずれることがあるので、ゼロ個のＯＦＤＭ記号と１個以上のＯＦＤＭ記号との間の範囲の小さなオフセットを指示するために更に別の遅延パラメータが追加される。ゼロ個の記号は、遅延なしに対応し、一方、１個の記号は、１個の記号の遅延に対応する。別の実施形態では、スケジューリングタイミング及び／又はＨＡＲＱタイミングのような送信タイミングを決定することは、少なくとも第２のヌメロロジーに対応するＯＦＤＭ記号インデックスを表わす付加的なパラメータＬを任意に含んでもよい。付加的なパラメータＬの実施形態が図７に示されている。それ故、ある実施形態では、単一の記号、スロット、及び／又はミニスロット内に多数のヌメロロジーが存在してもよい。
【００６９】
図３は、ある実施形態による図である。特に、図３は、ミニスロットベースのスケジューリングに対するＤＬデータスケジューリングタイミングを示す。図３において明らかなように、所与のミニスロットに対して同じスロットスケジューリングが使用される。従って、第１パラメータＭは、ゼロへと半静的に構成される。他方、第２パラメータＮは、ＰＤＳＣＨが異なるＯＦＤＭ記号でスタートするようにＤＣＩにおいて動的に指示される。図３に示す規範的なスロットは、７個のＯＦＤＭ記号を含む。ＤＬ制御情報に対して２つの記号３１０が指定され、ＤＬ送信に対して３つの記号３２０が指定されそしてＤＬ送信に対して２つ以上の記号３３０が予約される。記号３２０及び記号３３０は、各々、３つの記号及び２つの記号の期間を有するミニスロットである。
【００７０】
ＵＥの観点から、ＤＬ制御情報は、ＯＦＤＭ記号１において受信され、そして受信したＤＬ制御情報に対応するデータ送信がＯＦＤＭ記号５においてスタートする。換言すれば、記号３１０において受信したＤＬ制御情報に対応するデータ送信は、記号３３０までスタートしない。図３における第２パラメータＮは、ＤＬ制御に対してオフセットした記号であり、従って、Ｎの値は４に等しい。或いは又、パラメータＮは、絶対的ＯＦＤＭ記号インデックスとして定義され、この場合、Ｎの値は５である。
【００７１】
ある実施形態では、送信時間を決定するときに第３パラメータＭ２及び第４パラメータＮ２も考慮される。第３パラメータＭ２は、図３に示す実施形態では、ゼロへと半静的に構成され、一方、第４パラメータＮ２は、その値が１又は２であり、そしてＤＣＩにおいて暗示的に得られ又は指示される。暗示的に得られるとは、例えば、第４パラメータＮ２の値がＤＬ制御情報の搬送に割り当てられた記号の数から決定されることである。Ｎ２は、送信がスロット内の１個又は２個の記号の後に終了することを指示する。
【００７２】
図４は、ある実施形態による図である。特に、図４は、ＴＤＤシステムのスロットベーススケジューリングに対するＵＬデータスケジューリングを示す。図４に示すように、第１パラメータＭは、２に等しい。換言すれば、ＵＥがＤＬ制御情報４１０において通知される送信は、図４に矢印で示すように、２スロットだけオフセットされる。又、図４に示す第２パラメータＮは、２に等しい。図４において明らかなように、ＵＬデータ送信をＵＥに通知するＤＬ制御情報は、記号ゼロに位置するが、ＵＬデータ送信は、第３スロットの第２記号でのみ開始する。従って、Ｎは２に等しく、ここで、ＮはＯＦＤＭ記号インデックスである。
【００７３】
図５は、ある実施形態による図である。特に、図５は、ダウンリンクデータに対するＨＡＲＱ−ＡＣＫタイミングを示す。図５において明らかなように、第１パラメータＭの値は２に等しいが、第２パラメータＮの値は５に等しく、ここで、Ｎは、ＯＦＤＭ記号インデックスである。換言すれば、ＨＡＲＱ−ＡＣＫは、ＤＬ制御情報５１０が受信された２スロット後に記号５２０の一部分として受信され、そしてＨＡＲＱ−ＡＣＫが受信されるＵＬ制御情報は、第３スロットの第５記号に位置する。
【００７４】
図６は、ある実施形態による図である。特に、図６は、単一パラメータとしての第１パラメータＭ及び第２パラメータＮの合成シグナリングを示す。図６において明らかなように、現在スロット６１０及び次のスロット６２０内の絶対的開始位置ｘは、上位レイヤシグナリングにより構成される４つのシグナリング状態によって表わされる。４つの絶対的開始位置の値は、第１パラメータＭの値がゼロであり、第２パラメータＮの値が４又は６であるか、或いは第１パラメータＭの値が１であり、第２パラメータＮの値がゼロ又は２である。開始位置とは、アップリンク及び／又はダウンリンク送信が最初に初めて生じる位置である。
【００７５】
ある実施形態では、図６における４つの使用可能な状態の１つを指示するのに２ビット信号が使用される。この２ビット信号は、スロット又はミニスロット内の２つの記号を占有する。この２ビット信号は、図６に強調されたボックスで示すように、７個のＯＦＤＭ記号を各々含む現在スロット６１０及び次のスロット６２０内に柔軟な開始位置を許す。ある実施形態では、ＤＬ又はＵＬグラント及び／又はＤＬ又はＵＬデータ送信がどこに生じるかに基づいて、ＵＥ又はネットワーク仕様で定義されたように、所与の最小処理時間に対して、予め定義された信号値の一部分しか使用できない。
【００７６】
図７は、ある実施形態による図である。特に、図７は、多数のヌメロロジーでのＤＬデータに対するＨＡＲＱ−ＡＣＫタイミングを示す。ある実施形態では、図７に示すように、データ送信及び制御送信は、異なるヌメロロジーを使用する。例えば、データチャンネルは、１５ｋＨｚのＳＣＳを使用し、一方、ダウンリンク及び／又はアップリンク制御チャンネルは、３０ｋＨｚのＳＣＳを使用する。それ故、制御ＯＦＤＭの期間は、データＯＦＤＭ記号の半分である。図７において、ＤＬグラントを含むＤＬ制御情報７１０は、データＯＦＤＭ記号０内の制御ＯＦＤＭ記号１においてＵＥへ送信される。ＨＡＲＱフィードバック７２０のための対応時間位置は、２の値を有する第１パラメータＭ及び６の値を有する第２パラメータＮにより指示され、ここで、Ｎは、ＯＦＤＭ記号インデックスであり、そして付加的なパラメータＬの値は、１に等しい。この付加的なパラメータＬの値が１に等しいのは、データＯＦＤＭ記号６内の第２の制御ＯＦＤＭ記号としても知られている制御ＯＦＤＭ記号１がＨＡＲＱ−ＡＣＫを受信するからである。
【００７７】
図８は、ある実施形態によるフローチャートである。図８は、ベースステーション又は５Ｇ  ＮｏｄｅＢ（５Ｇ  ＮＢ又はｇＮＢ）のようなネットワークエンティティの実施形態である。ステップ８１０において、ネットワークエンティティは、第１パラメータ及び第２パラメータを決定する。第１パラメータは、オフセットをスロットの数として指示する。第２パラメータは、オフセットを１つのスロット内の記号の数として指示する。ステップ８２０に示すように、ネットワークエンティティは、送信の終了をスロットの数として指示する第３パラメータもネットワークエンティティにおいて決定する。又、ネットワークエンティティは、送信の終了を１つのスロット内の記号位置として指示する第４パラメータも決定する。
【００７８】
パラメータが決定されると、ネットワークエンティティは、ステップ８３０に示されたように、第１パラメータ及び第２パラメータをネットワークエンティティからユーザ装置へ送信する。他の実施形態では、ネットワークエンティティは、第３パラメータ及び／又は第４パラメータもＵＥへ送信する。ネットワークエンティティによるパラメータの送信は、動的である。ステップ８４０において、ネットワークエンティティは、第１パラメータ、第２パラメータ、第３パラメータ又は第４パラメータの少なくとも１つを使用して、ネットワークエンティティからユーザ装置へダウンリンク送信を送信するか、又はユーザ装置からのアップリンク送信をネットワークエンティティで受信するかの少なくとも一方を行うための送信タイミングを決定する。
【００７９】
図９は、ある実施形態によるシステムを示す。図１ないし９の各信号又はブロックは、ハードウェア、ソフトウェア、ファームウェア、１つ以上のプロセッサ及び／又は回路により具現化されることを理解されたい。１つの実施形態では、システムは、例えば、ネットワークエンティティ９２０又はＵＥ９１０のような多数のデバイスを含む。このシステムは、２つ以上のＵＥ９１０及び２つ以上のネットワークエンティティ９２０を含んでもよい。ネットワークエンティティ９２０は、ベースステーション、例えば、５Ｇ  ＮＢ又はｅＮｏｄｅＢ（ｅＮＢ）、ネットワークノード、アクセスノード、サーバー、ホスト、或いはＵＥと通信する他のネットワークエンティティである。
【００８０】
これらのデバイスは、各々、９１１及び９２１で示された少なくとも１つのプロセッサ又は制御ユニット又はモジュールを含む。各デバイスには、９１２及び９２２で各々示された少なくとも１つのメモリが設けられる。このメモリには、コンピュータプログラムインストラクション又はコンピュータコードが収容される。１つ以上のトランシーバー９１３及び９２３が設けられ、そして各デバイスは、９１４及び９２４で各々示されたアンテナも備えている。１つのアンテナしか示されていないが、各デバイスには多数のアンテナ及び多数のアンテナ素子が設けられてもよい。例えば、他の構成のデバイスが設けられてもよい。例えば、ネットワークエンティティ９２０及びＵＥ９１０は、ワイヤレス通信に加えて、更にワイヤード通信のために構成されてもよく、そのような場合、アンテナ９１４及び９２４は、単にアンテナに限定されず、任意の形式の通信ハードウェアを示す。
【００８１】
トランシーバー９１３及び９２３は、各々、送信器単独、受信器単独、又は送受信器、或いは送信及び受信の両用に構成されたユニット又はデバイスである。又、送信器及び／又は受信器（無線部に関する限り）は、デバイスそれ自体に配置されずに、例えば、支柱に配置されたリモート無線ヘッドとして実施されてもよい。動作及び機能は、ノード、ホスト又はサーバーのような異なるエンティティにおいて柔軟な仕方で遂行されてもよい。換言すれば、労力の分散は、ケースバイケースで変化してもよい。１つの考えられる使用は、ネットワークノードがローカルコンテンツを配達するようにさせることである。又、１つ以上の機能が、サーバーで実行できるソフトウェアにおいてバーチャルアプリケーションとして実施されてもよい。
【００８２】
ユーザデバイス又はユーザ装置９１０は、移動電話又はスマートホン又はマルチメディアデバイスのような移動ステーション（ＭＳ）、ワイヤレス通信能力が与えられたタブレットのようなコンピュータ、ワイヤレス通信能力が与えられたパーソナルデータ又はデジタルアシスタント（ＰＤＡ）、ポータブルメディアプレーヤ、デジタルカメラ、ポケットビデオカメラ、ワイヤレス通信能力が与えられたナビゲーションユニット、或いはその組み合わせである。他の実施形態では、ユーザ装置は、人間との相互作用を必要としないマシン通信デバイス、例えば、センサ又はメーターに置き換えられてもよい。
【００８３】
ある実施形態では、ユーザ装置又はネットワークエンティティのような装置は、図１から８に関連して上述した実施形態を具現化するための手段を含む。ある実施形態では、コンピュータプログラムコードを含む少なくとも１つのメモリは、少なくとも１つのプロセッサとで、装置が、少なくとも、ここに述べるプロセスのいずれかを遂行するようにさせるよう構成される。
【００８４】
プロセッサ９１１及び９２１は、計算又はデータ処理デバイス、例えば、中央処理ユニット（ＣＰＵ）、デジタル信号プロセッサ（ＤＳＰ）、特定用途向け集積回路（ＡＳＩＣ）、プログラマブルロジックデバイス（ＰＬＤ）、フィールドプログラマブルゲートアレイ（ＦＰＧＡ）、デジタル改善型回路、又は同等のデバイス、或いはその組み合せにより実施される。プロセッサは、単一のコントローラとして、或いは複数のコントローラ又はプロセッサとして具現化される。
【００８５】
ファームウェア又はソフトウェアについては、その具現化は、少なくとも１つのチップセット（例えば、手順、機能、等）のモジュール又はユニットを含む。メモリ９１２及び９２２は、独立した適当なストレージデバイス、例えば、非一時的コンピュータ読み取り可能な媒体である。ハードディスクドライブ（ＨＤＤ）、ランダムアクセスメモリ（ＲＡＭ）、フラッシュメモリ、又は他の適当なメモリが使用される。メモリは、単一の集積回路上でプロセッサとして結合されてもよいし又はそこから分離されてもよい。更に、メモリに記憶されてプロセッサにより処理されるコンピュータプログラムインストラクションは、適当な形態のコンピュータプログラムコード、例えば、適当なプログラミング言語で書かれたコンパイル型又は解釈型のコンピュータプログラムである。メモリ又はデータストレージエンティティは、典型的に、内部であるが、サービスプロバイダーから付加的なメモリ容量が得られる場合は、外部又はその組み合わせであってもよい。メモリは、固定でもよいし、取り外し可能でもよい。
【００８６】
メモリ及びコンピュータプログラムインストラクションは、特定デバイスのプロセッサとで、ネットワークエンティティ９２０又はＵＥ９１０のようなハードウェア装置が、前記プロセスのいずれかを遂行するようにさせるよう構成される（例えば、図１から８を参照されたい）。それ故、幾つかの実施形態において、非一時的コンピュータ読み取り可能な媒体は、ハードウェアで実行されたときに、ここに述べるプロセスの１つのようなプロセスを遂行するコンピュータインストラクション又は１つ以上のコンピュータプログラム（例えば、追加又は更新ソフトウェアルーチン、アプレット又はマクロ）でエンコードされる。コンピュータプログラムは、オブジェクティブＣ、Ｃ、Ｃ＋＋、Ｃ＃、Ｊａｖａ（登録商標）、等の高レベルプログラミング言語、或いはマシン言語又はアッセンブラーのような低レベルプログラミング言語であるプログラミング言語によりコード化される。或いは又、幾つかの実施形態は、ハードウェアで完全に遂行されてもよい。
【００８７】
更に、図９は、ネットワークエンティティ９２０及びＵＥ９１０を含むシステムを示すが、幾つかの実施形態は、他の構成、及び図示してここに述べた付加的な要素を含む構成にも適用することができる。例えば、多数のユーザ装置デバイス及び多数のベースステーションが存在するか、又は同様の機能を発揮する他のノード、例えば、ユーザ装置及びベースステーションの機能を結合するノード、例えば、リレーノードが存在してもよい。同様に、ＵＥ９１０には、ネットワークエンティティ９２０以外の通信のための種々の構成が設けられてもよい。例えば、ＵＥ９１０は、デバイス・対・デバイス、マシン・対・マシン、又はビヒクル・対・ビヒクル通信のために構成されてもよい。
【００８８】
前記実施形態は、ネットワークの機能、及び／又はネットワーク、又はネットワークと通信するユーザ装置内のネットワークエンティティの機能に対して改善を与える。ある実施形態は、ＯＦＤＭ記号粒度でのスケジューリングタイミング又はＨＡＲＱタイミングを指示する柔軟性のための方法、装置、手段、又はコンピュータ製品を提供することができる。他の実施形態では、少なくとも１つのパラメータが、動的に構成されるのではなく、半静的に構成され又は暗示的に決定されるときに、オーバーヘッドを減少することができる。上述した実施形態は、ＮＲ環境における動的なＴＤＤ及び／又はミニスロットの有効な使用を許す。
【００８９】
本明細書全体にわたって述べた幾つかの実施形態の特徴、構造、又は特性は、１つ以上の実施形態において適当な仕方で組み合わせることができる。例えば、本明細書全体にわたる「ある実施形態」、「幾つかの実施形態」、「他の実施形態」という句又は他の同様の言語の使用は、その実施形態に関連して述べる特定の特徴、構造、又は特性が本発明の少なくとも１つの実施形態に含まれることを指す。従って、本明細書全体にわたり「ある実施形態」、「幾つかの実施形態」、「他の実施形態」という句又は他の同様の言語が出現することは、必ずしも、実施形態の同じグループを指すものではなく、そしてここに述べる特徴、構造又は特性は、１つ以上の実施形態において適当な仕方で組み合わされてもよい。
【００９０】
当業者であれば、上述した本発明は、異なる順序のステップで、及び／又はここに開示するものとは異なる構成のハードウェア要素で、実施されてもよいことが容易に理解されよう。それ故、本発明は、それらの好ましい実施形態に基づいて説明したが、当業者であれば、本発明の精神及び範囲から逸脱せずに、幾つかの変更、修正、及び代替的構造が明らかとなろう。前記実施形態は、ＮＲ及び５Ｇ技術を参照するが、少なくとも、ＬＴＥ、ＬＴＥアドバンスト、第４世代、又はモノのインターネット技術を含む３ＧＰＰ技術に適用されてもよい。
【００９１】
部分用語集
３ＧＰＰ：第３世代パートナーシッププロジェクト
ＵＥ：ユーザ装置
ＮＲ：新無線
５Ｇ：第５世代
ＨＡＲＱ：ハイブリッド自動リピート要求
ＨＡＲＱ−ＡＣＫ：ＨＡＲＱ確認
ＰＤＳＣＨ：物理的ダウンリンク共有チャンネル
ＰＵＣＣＨ：物理的アップリンク制御チャンネル
ＯＦＤＭ：直交周波数分割マルチプレクシング
ＳＣＳ：サブキャリア間隔
ＴＤＤ：時分割デュープレックス
ＦＤＤ：周波数分割デュープレックス
ＧＰ：ガード周期
ＵＬ：アップリンク
ＤＬ：ダウンリンク
ＵＲＬＬＣ：超信頼性・低レイテンシー通信
ｅＭＢＢ：改善型移動ブロードバンド
ＴＴＩ：送信タイムインターバル
ＴＤＭ：時分割マルチプレクシング
５Ｇ  ＮＢ：５Ｇ  ＮｏｄｅＢ
Ｍ：第１パラメータ
Ｎ：第２パラメータ
Ｍ２：第３パラメータ
Ｎ２：第４パラメータ
Ｌ：第２のヌメロロジーに対応するＯＦＤＭ記号インデックスを表わすパラメータ
【符号の説明】
【００９２】
９１０：ユーザ装置（ＵＥ）
９１１：プロセッサ
９１２：メモリ
９１３：トランシーバー
９１４：アンテナ
９２０：ベースステーション
９２１：プロセッサ
９２２：メモリ
９２３：トランシーバー
９２４：アンテナ
【図１】
2020505827.tif 000003
【図２】
2020505827.tif 000004
【図３】
2020505827.tif 000005
【図４】
2020505827.tif 000006
【図５】
2020505827.tif 000007
【図６】
2020505827.tif 000008
【図７】
2020505827.tif 000009
【図８】
2020505827.tif 000010
【図９】
2020505827.tif 000011
【国際調査報告】
2020505827.tif 000012
2020505827.tif 000013